【事件の表示】
　特願２０１２−２５７７６７号「全般照明用の固体照明器具」拒絶査定不服審判事件〔平成２５年　２月２８日出願公開、特開２０１３−　４１８５３号、請求項の数（３４）〕について、次のとおり審決する。
【結　論】
　原査定を取り消す。
　本願の発明は、特許すべきものとする。
【理　由】
第１　手続の経緯・本願発明
　本願は、２００７年４月１８日（パリ条約による優先権主張外国庁受理　２００６年４月２１日　（ＵＳ）アメリカ合衆国）を国際出願日とする特願２００９−５０６５４２号（以下、「原出願」という。）の一部を平成２４年１１月２６日に新たな特許出願としたものであって、平成２５年５月２７日付けで拒絶理由が通知され、同年１２月２日に意見書及び手続補正書が提出され、同年１２月１３日付けで拒絶理由が通知され、平成２６年６月１７日に意見書及び手続補正書が提出されたが、同年１１月２６日付けで拒絶査定がなされ、これに対し平成２７年３月３０日に拒絶査定不服審判の請求がなされると同時に手続補正書が提出され、同年４月２８日に審判請求書の請求の理由を補正する手続補正書（方式）が提出された。その後、当審において、平成２８年１月１９日付けで拒絶理由が通知され、同年７月１９日に意見書及び手続補正書が提出され、同年８月１９日付けで拒絶理由が通知され、同年１０月３１日に意見書及び手続補正書が提出され、同年１１月２５日付けで拒絶理由が通知され、同年１１月３０日に意見書及び手続補正書が提出され、同年１２月２０日に意見書及び手続補正書が提出されたものである。
　そして、本願の請求項１〜３４に係る発明は、平成２８年１２月２０日の手続補正書により補正された特許請求の範囲の請求項１〜３４に記載された事項により特定されるとおりのものと認められるところ、請求項１、１５、３１に係る発明（以下、「本願発明１、１５、３１」という。）は次のとおりのものである。
「【請求項１】
　照明パネルの主平面に平行な第１の面を有する少なくとも１つのタイルと、
　前記少なくとも１つのタイルの前記第１の面の上に配置され、光を発するように構成された複数の固体照明デバイスと、
　前記少なくとも１つのタイルの前記第１の面の上の反射シートであって、入射した光を反射し散乱させるように構成された前記反射シートと、
　前記反射シートの上の輝度増強フィルムと、
　前記反射シートと前記輝度増強フィルムとの間に設けられた拡散シートと、
を備え、
　前記反射シートは、前記少なくとも１つのタイルと前記輝度増強フィルムとの間に配置されており、
　前記輝度増強フィルムは、前記反射シートの上に直接に配置される前記拡散シートによって前記反射シートから分離され、第１の方向を有する光を前記照明パネルから優先的に放出し、前記第１の方向とは異なる第２の方向を有する光を優先的に反射して前記拡散シートへ戻すように構成され、
　前記反射して前記拡散シートへ戻された光が、前記反射シートの前記拡散シートと直接接する領域での反射および散乱と、前記反射シートによって反射および散乱された光の前記拡散シートによる拡散とによって、前記拡散シートの内部で再循環されるように構成されていることを特徴とする照明パネル。
【請求項１５】
　全般照明に適合された照明器具であって、
　少なくとも１つのタイルと、電気的に接続されて列を形成し、前記少なくとも１つのタイルの第１の面の上に配置され、主波長の光を発するように構成された複数の固体照明デバイスと、前記少なくとも１つのタイルの前記第１の面の上の反射シートであって、入射した光を反射し散乱させるように構成された前記反射シートと、前記反射シートの上の輝度増強フィルムと、前記反射シートと前記輝度増強フィルムとの間に設けられた拡散シートと、を有する照明パネルであって、前記反射シートが、前記少なくとも１つのタイルと前記輝度増強フィルムとの間に配置されており、前記輝度増強フィルムは、前記反射シートの上に直接に配置される前記拡散シートによって前記反射シートから分離され、第１の方向を有する光を前記照明パネルから優先的に放出し、前記第１の方向とは異なる第２の方向を有する光を優先的に反射して前記拡散シートへ戻すように構成され、前記反射して前記拡散シートへ戻された光が、前記反射シートの前記拡散シートと直接接する領域での反射および散乱と、前記反射シートによって反射および散乱された光の前記拡散シートによる拡散とによって、前記拡散シートの内部で再循環されるように構成されている照明パネルと、
　制御信号に応答して前記列にオン状態駆動電流を供給するように構成された電流供給回路と、
　前記複数の固体照明デバイスのうちの少なくとも１つの固体照明デバイスから光を受け取るように配置された光センサと、
　前記光センサから出力信号を受け取り、前記光センサの前記出力信号に応じて前記制御信号を調整し、それによって、前記電流供給回路によって前記列に供給される平均電流を調整するように構成された制御システムと
を備えることを特徴とする照明器具。
【請求項３１】
　少なくとも１つのタイルと、少なくとも、前記少なくとも１つのタイルの第１の面の上にあって、第１の主波長の光を発するように構成された固体照明デバイスの第１の列、および、前記少なくとも１つのタイルの前記第１の面の上にあって、前記第１の主波長とは異なる第２の主波長の光を発するように構成された固体照明デバイスの第２の列と、前記少なくとも１つのタイルの前記第１の面の上の反射シートであって、入射した光を反射し散乱させるように構成された前記反射シートと、前記反射シートの上の輝度増強フィルムと、前記反射シートと前記輝度増強フィルムとの間に設けられた拡散シートと、を有する照明パネルであって、前記反射シートが、前記少なくとも１つのタイルと前記輝度増強フィルムとの間に配置されており、前記輝度増強フィルムは、前記反射シートの上に直接に配置される前記拡散シートによって前記反射シートから分離され、第１の方向を有する光を前記照明パネルから優先的に放出し、前記第１の方向とは異なる第２の方向を有する光を優先的に反射して前記拡散シートへ戻すように構成され、前記反射して前記拡散シートへ戻された光が、前記反射シートの前記拡散シートと直接接する領域での反射および散乱と、前記反射シートによって反射および散乱された光の前記拡散シートによる拡散とによって、前記拡散シートの内部で再循環されるように構成されている照明パネルと、
　第１の制御信号に応答して前記第１の列にオン状態駆動電流を供給するように構成された第１の電流供給回路と、
　第２の制御信号に応答して前記第２の列にオン状態駆動電流を供給するように構成された第２の電流供給回路と、
　前記第１の列内の少なくとも１つの固体照明デバイス、および、前記第２の列内の少なくとも１つの固体照明デバイスから光を受け取るように配置された光センサと、
　前記光センサから出力信号を受け取り、前記光センサの前記出力信号に応じて前記第１の制御信号および／または前記第２の制御信号を調整し、それによって、前記第１の電流供給回路によって前記第１の列に供給される平均電流を調整し、かつ／または前記第２の電流供給回路によって前記第２の列に供給される平均電流を調整するように構成された制御システムであって、前記光センサ、前記制御システム並びに前記第１および第２の電流供給回路が、前記照明パネルに対するフィードバックループを形成する制御システムと
を備え、
　前記第１および第２の制御信号はパルス幅変調（ＰＷＭ）信号を含み、
　前記制御システムは、前記第１および／または第２の制御信号のデューティサイクルを変化させることによって、前記第１および／または第２の列に供給される平均電流を制御するように構成されていることを特徴とする照明器具。」
第２　原査定の理由について
１．原査定の理由の概要
　本願発明１、１５、３１は、原出願の優先日前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
引用文献１.特開２００２−７２９０１号公報
引用文献２.国際公開第２００６／００３９１３号
引用文献３.国際公開第２００５／０７３６２１号
引用文献４.特開２００６−４０８６４号公報
引用文献５.特開２００４−２８１３５２号公報
引用文献６.特開２００４−１１１３５５号公報
引用文献７.特開２００３−９２０１１号公報
備考
　本願発明１、１５、３１は、引用文献１記載の発明と、引用文献２〜７に記載の事項に基づいて当業者が容易に発明をすることができたものである。
２．原査定の理由の判断
（１）引用文献１に記載された事項及び記載された発明
　引用文献１には、【特許請求の範囲】の【請求項１】〜【請求項３】、【発明の詳細な説明】の段落【０００８】〜【００１３】の記載、及び【図１】〜【図４】の記載（【図１】から、硬質回路板１５は、バックライト装置１３の光出光面に略平行であると看取しうる。）からみて、次の発明（以下、「引用発明」という。）が記載されているといえる。
〔引用発明〕
「複数の発光ダイオード１４と、
　前記発光ダイオード１４が接続される、バックライト装置１３の光出光面に略平行である硬質回路板１５と、
　前記硬質回路板１５の前方に配設され前記発光ダイオード１４に各々対応する開口部１６ａを有し前記発光ダイオード１４の光を反射させる反射板１６と、
　複数のプリズム部２２ａを有する輝度上昇フィルムからなるプリズムシート２２を前記反射板１６の前方に配設し、
　前記硬質回路板１５及び前記反射板１６を収容するケース体１７を設け、
　前記ケース体１７の内側面に前記発光ダイオード１４の光を反射させる反射フィルム２３を設け、
　前記プリズムシート２２は、後面２２ｂに斜めから入射した光Ｌを屈折させて、発光ダイオード２２の光を垂直方向に集めることで、バックライト装置１３の明るさを向上させることができ、後面２２ｂに略垂直に入射した光Ｌ’を、斜面２２ｃにより後方に反射し、
　プリズムシート２２のプリズム部２２ａの斜面２２ｃにより後方に反射された光Ｌ’は、反射板１６によって再び前方に反射される、
バックライト装置１３。」
（２）対比・判断
ア　本願発明１について
　本願発明１と引用発明とを対比する。
　後者の「バックライト装置１３」は、前者の「照明パネル」に相当する。
　後者の「バックライト装置１３の光出光面に略平行である硬質回路板１５」は、前者の「照明パネルの主平面に平行な第１の面を有する少なくとも１つのタイル」に相当する。
　後者の「複数の発光ダイオード１４」は、硬質回路板１５に接続されるので、前者の「少なくとも１つのタイルの第１の面の上に配置され、光を発するように構成された複数の固体照明デバイス」に相当する。
　後者の「硬質回路板１５の前方に配設され発光ダイオード１４に各々対応する開口部１６ａを有し発光ダイオード１４の光を反射させる反射板１６」は、前者の「少なくとも１つのタイルの第１の面の上の反射シートであって、入射した光を反射し散乱させるように構成された反射シート」と、「少なくとも１つのタイルの上の反射シートであって、入射した光を反射させるように構成された反射シート」である限りにおいて一致する。
　後者の「複数のプリズム部２２ａを有する輝度上昇フィルムからなるプリズムシート２２」は、「反射板１６の前方に配設」されるので、前者の「反射シートの上の輝度増強フィルム」に相当する。
　後者の「硬質回路板１５」の前方に「反射板１６」が位置し、さらにその前方に「プリズムシート２２」が位置する構成は、前者の「反射シートは、少なくとも１つのタイルと輝度増強フィルムとの間に配置」されることに相当する。
　後者の「プリズムシート２２は、後面２２ｂに斜めから入射した光Ｌを屈折させて、発光ダイオード２２の光を垂直方向に集めることで、バックライト装置１３の明るさを向上させることができ、後面２２ｂに略垂直に入射した光Ｌ’を、斜面２２ｃにより後方に反射」は、前者の「輝度増強フィルムは」、「第１の方向を有する光を前記照明パネルから優先的に放出し、前記第１の方向とは異なる第２の方向を有する光を優先的に反射して前記拡散シートへ戻すように構成され」ることに相当する。
　後者の「プリズムシート２２のプリズム部２２ａの斜面２２ｃにより後方に反射された光Ｌ’は、反射板１６によって再び前方に反射される」ことは、前者の「反射して拡散シートへ戻された光が、反射シートの拡散シートと直接接する領域での反射および散乱と、反射シートによって反射および散乱された光の拡散シートによる拡散とによって、拡散シートの内部で再循環されるように構成されている」ことと、「反射して戻された光が、反射シートによって、反射されるように構成されている」限りにおいて一致する。
　そうすると、両者の一致点、相違点は次のとおりである。
〔一致点〕
「照明パネルの主平面に平行な第１の面を有する少なくとも１つのタイルと、
　前記少なくとも１つのタイルの前記第１の面の上に配置され、光を発するように構成された複数の固体照明デバイスと、
　前記少なくとも１つのタイルの上の反射シートであって、入射した光を反射させるように構成された前記反射シートと、
　前記反射シートの上の輝度増強フィルムと、
を備え、
　前記反射シートは、前記少なくとも１つのタイルと前記輝度増強フィルムとの間に配置されており、
　前記輝度増強フィルムは、第１の方向を有する光を前記照明パネルから優先的に放出し、前記第１の方向とは異なる第２の方向を有する光を優先的に反射して前記拡散シートへ戻すように構成され、
　前記反射して戻された光が、前記反射シートによって、反射されるように構成されている照明パネル。」
〔相違点〕
　本願発明１は、「反射シート」は少なくとも１つのタイルの「第１の面の上」に位置し、入射した光を反射し「散乱させる」ように構成され、「拡散シート」は「反射シートと輝度増強フィルムとの間に設けられ」、「輝度増強フィルム」は「反射シートの上に直接に配置される拡散シートによって反射シートから分離され」ており、輝度増強フィルムから「反射して拡散シートへ戻された光が、反射シートの拡散シートと直接接する領域での反射および散乱と、反射シートによって反射および散乱された光の拡散シートによる拡散とによって、拡散シートの内部で再循環されるように構成されている」ものであるのに対して、引用発明は、反射板１６は単に反射させるとしか特定されておらず、拡散シートを有しておらず、プリズムシート２２からの反射光を前記のように再循環するのか特定されていない点。
　上記相違点について以下検討する。
　引用文献４には、バックライト装置において、光源の前方に拡散シートを配置することが記載されているが（段落【００４１】参照）、拡散シートを反射シートの上に直接配置することは記載されておらず、また他の引用文献にもそのような事項を示されていない。
　してみれば、引用発明を、相違点に係る本願発明１の構成のうちの、輝度増強フィルムから「反射して拡散シートへ戻された光が、反射シートの拡散シートと直接接する領域での反射および散乱と、反射シートによって反射および散乱された光の拡散シートによる拡散」することは、引用文献２〜７に記載の事項から、当業者が容易に想到し得ることとはいえない。
イ　本願発明１５及び３１について
　本願発明１５及び３１と本願発明１とは、
「少なくとも１つのタイルの第１の面の上に配置され」、「光を発するように構成された」複数の「固体照明デバイス」と、
「少なくとも１つのタイルの第１の面の上の反射シートであって、入射した光を反射し散乱させるように構成された前記反射シート」と、
「反射シートの上の輝度増強フィルム」と、
「反射シートと輝度増強フィルムとの間に設けられた拡散シート」とを備え、
「反射シートが、少なくとも１つのタイルと輝度増強フィルムとの間に配置されており、
　輝度増強フィルムは、反射シートの上に直接に配置される拡散シートによって反射シートから分離され、第１の方向を有する光を照明パネルから優先的に放出し、第１の方向とは異なる第２の方向を有する光を優先的に反射して拡散シートへ戻すように構成され、
　反射して拡散シートへ戻された光が、反射シートの拡散シートと直接接する領域での反射および散乱と、前記反射シートによって反射および散乱された光の前記拡散シートによる拡散とによって、前記拡散シートの内部で再循環されるように構成されている照明パネル」
との共通の技術事項を有している。
　そうすると、本願発明１５及び３１と引用発明とを対比すると、本願発明１と対比したと同様に、少なくとも上記「ア」で検討した「相違点」で相違するといえる。
　そして、上記「ア」で検討したと同様に、引用発明を、相違点に係る本願発明１５または３１の構成のようにすることは、引用文献２〜７に記載の事項及び周知の事項から、当業者が容易に想到し得ることとはいえない。
（３）小括
　したがって、他の相違点について検討するまでもなく、本願発明１、１５、３１は、引用発明及び引用文献２〜７に記載の事項に基づいて当業者が容易に発明をすることができたとはいえない。
　また、本願の請求項２〜１４、１６〜３０、３２〜３４に係る発明は、本願発明１、１５、３１をさらに限定したものであるので、同様に、引用発明及び引用文献２〜７に記載の事項に基づいて当業者が容易に発明をすることができたとはいえない。
　よって、原査定の理由によっては、本願を拒絶することはできない。
第３　当審拒絶理由について
１．平成２８年１１月２４日付け当審拒絶理由の概要
（理由１）この出願は、特許請求の範囲の記載が下記の点で、特許法第３６条第６項第２号に規定する要件を満たしていない。 
（理由２）この出願は、発明の詳細な説明の記載について下記の点で、特許法第３６条第４項第１号に規定する要件を満たしていない。
　　　　　　　　　　　　　　　　　記
（理由１について）
　請求項１、１５、３１の「前記反射シートによって反射された光」との記載では、その直前の「前記反射シートの前記拡散シートと直接接する領域での反射および散乱と」との記載と整合していない。
（理由２について）
　請求項３５に記載の事項は、明細書の発明の詳細な説明の記載を参照しても、どのように実施するのか不明である。 
２．当審拒絶理由の判断
（１）理由１について
　平成２８年１２月２０日の手続補正書により、理由１で指摘した請求項１、１５、３１の事項は「前記反射シートによって反射
および散乱
　よって、当審拒絶理由の理由１は解消した。
（２）理由２について
　平成２８年１２月２０日の手続補正書により、請求項３５は削除された。
　よって、当審拒絶理由の理由２は解消した。
第４　むすび
　以上のとおり、原査定の拒絶理由及び当審の拒絶理由によっては、本願を拒絶することはできない。
　また、他に本願を拒絶すべき理由を発見しない。
　よって、結論のとおり審決する。